(57)【特許請求の範囲】
【請求項１】
基地局から少なくとも１つの特定のリソースブロックが測定された測定場所に関する情報を受信する手段と、
移動中継ノードの現在地と前記測定場所とに基づいて、前記移動中継ノードと、当該移動中継ノードに接続した少なくとも１つの利用者機器との通信に前記少なくとも１つの特定のリソースブロックを使用する手段と、
を含み、
前記測定場所において前記基地局に接続した少なくとも１つの利用者機器と前記基地局との通信には前記少なくとも１つの特定のリソースブロックは使用されず、前記少なくとも１つの特定のリソースブロックの測定値は、所定の閾値より小さい
リソースブロックの割り当て装置。
【請求項２】
前記使用する手段は、前記移動中継ノードの現在地と前記測定場所との距離が所定値以内である場合に、前記少なくとも１つの特定のリソースブロックを使用する手段を含む
請求項１に記載の装置。
【請求項３】
前記移動中継ノードと、当該移動中継ノードに接続した前記少なくとも１つの利用者機器とは高速鉄道車両内に存在し、前記測定場所は、前記基地局にカバーされ前記高速鉄道車両が走る線路に近い
請求項１に記載の装置。
【請求項４】
前記受信に先立って、前記移動中継ノードに接続した前記少なくとも１つの利用者機器へのサービスの質に基づいて前記移動中継ノードが決定した前記リソースブロックの必要数のリクエストを前記基地局に送信する手段を
更に含む請求項１に記載の装置。
【請求項５】
前記少なくとも１つの特定のリソースブロックは、アップリンク通信のために前記基地局以外の前記移動中継ノードによって使用され、又は、ダウンリンク通信のために前記基地局以外の前記移動中継ノードによって使用される
請求項１に記載の装置。
【請求項６】
基地局で、少なくとも１つの特定のリソースブロックが測定された測定場所に関する情報を取得する手段と、
移動中継ノードと、当該移動中継ノードに接続した少なくとも１つの利用者機器との通信のため、前記移動中継ノードに前記少なくとも１つの特定のリソースブロックに関する情報を送信する手段と、
を含み、
前記移動中継ノードと、当該移動中継ノードに接続した少なくとも１つの利用者機器との通信には前記少なくとも１つの特定のリソースブロックを使用し、前記測定場所において前記基地局に接続した少なくとも１つの利用者機器と前記基地局との通信には前記少なくとも１つの特定のリソースブロックは使用されず、前記少なくとも１つの特定のリソースブロックの測定値は、所定の閾値より小さい
リソースブロックの割り当て装置。
【請求項７】
リソースブロックの割り当て装置であって、
少なくとも１つのプロセッサと、コンピュータプログラムのコードを記憶した少なくとも１つのメモリとを含み、
前記メモリと前記コンピュータプログラムのコードは、前記装置が、少なくとも、
基地局から少なくとも１つの特定のリソースブロックが測定された測定場所に関する情報を受信するように、そして、
移動中継ノードの現在地と前記測定場所とに基づいて、前記移動中継ノードと、当該移動中継ノードに接続した少なくとも１つの利用者機器との通信に前記少なくとも１つの特定のリソースブロックを使用するように
構築されており、
前記測定場所において前記基地局に接続した少なくとも１つの利用者機器と前記基地局との通信には前記少なくとも１つの特定のリソースブロックは使用されず、前記少なくとも１つの特定のリソースブロックの測定値は、所定の閾値より小さい
リソースブロックの割り当て装置。
【請求項８】
リソースブロックの割り当て装置であって、
少なくとも１つのプロセッサと、コンピュータプログラムのコードを記憶した少なくとも１つのメモリとを含み、
前記メモリと前記コンピュータプログラムのコードは、前記装置が、少なくとも、
基地局で、少なくとも１つの特定のリソースブロックが測定された測定場所に関する情報を取得するように、そして、
移動中継ノードと、当該移動中継ノードに接続した少なくとも１つの利用者機器との通信のため、前記移動中継ノードに前記少なくとも１つの特定のリソースブロックに関する情報を送信するように
構築されており、
前記移動中継ノードと、当該移動中継ノードに接続した少なくとも１つの利用者機器との通信には前記少なくとも１つの特定のリソースブロックを使用し、前記測定場所において前記基地局に接続した少なくとも１つの利用者機器と前記基地局との通信には前記少なくとも１つの特定のリソースブロックは使用されず、前記少なくとも１つの特定のリソースブロックの測定値は、所定の閾値より小さい
リソースブロックの割り当て装置。
【請求項９】
基地局から少なくとも１つの特定のリソースブロックが測定された測定場所に関する情報を受信することと、
移動中継ノードの現在地と前記測定場所とに基づいて、前記移動中継ノードと、当該移動中継ノードに接続した少なくとも１つの利用者機器との通信に前記少なくとも１つの特定のリソースブロックを使用することと、
を含み、
前記測定場所において前記基地局に接続した少なくとも１つの利用者機器と前記基地局との通信には前記少なくとも１つの特定のリソースブロックは使用されず、前記少なくとも１つの特定のリソースブロックの測定値は、所定の閾値より小さい
リソースブロックの割り当て方法。
【請求項１０】
基地局で、少なくとも１つの特定のリソースブロックが測定された測定場所に関する情報を取得することと、
移動中継ノードと、当該移動中継ノードに接続した少なくとも１つの利用者機器との通信のため、前記移動中継ノードに前記少なくとも１つの特定のリソースブロックに関する情報を送信することと、
を含み、
前記移動中継ノードと、当該移動中継ノードに接続した少なくとも１つの利用者機器との通信には前記少なくとも１つの特定のリソースブロックを使用し、前記測定場所において前記基地局に接続した少なくとも１つの利用者機器と前記基地局との通信には前記少なくとも１つの特定のリソースブロックは使用されず、前記少なくとも１つの特定のリソースブロックの測定値は、所定の閾値より小さい
リソースブロックの割り当て方法。
【発明の詳細な説明】
【技術分野】
【０００１】
本発明の実施形態は、概して３ＧＰＰ（the 3rd Generation Partnership Project）のＬＴＥ（Long Term Evolution)技術を含む無線通信技術に関する。特に、本発明の実施形態はリソースブロックの割り当て方法及び装置に関する。
【背景技術】
【０００２】
明細書及び／又は図面に表記される様々な略語は、以下のように定義される。
ＢＳ      Base Station（基地局）
ＢＣＨ    Broadcast Channel（放送チャンネル）
ＢＲＢ    Bad Resource Block（不適当なリソースブロック）
ＤＬ      Downlink（ダウンリンク）
ＤＳＰ    Digital Signal Processor（デジタル信号プロセッサ）
ｅＮＢ    evolved Node B（発展型Node B）
ＦＤＤ    Frequency Division Duplex（周波数分割デュプレックス）
ＨＳＴ    High Speed Train（高速列車）
ＨＳＲ    High Speed Railway（高速鉄道）
ＨＵＥ    HSR User Equipment（高速鉄道の利用者機器）
ＭＵＥ    Macro User Equipment（一般的な利用者機器）
ＭｅＮＢ  Macro evolved Node B（一般的な発展型Node B)
ＭＲ      Mobile Relay（移動中継）
ＰＤＡ    Personal Digital Assistance（電子手帳）
ＱｏＳ    Quality of Service（サービスの質）
ＲＢ      Resource Block（リソースブロック）
ＲＮＴＩ  Radio Network Temporary Identifier（無線ネットワーク一時識別子）
ＰＲＭ    Radio Resource Management（無線リソース管理）
ＴＤ      Time Division（時分割）
ＴＤＤ    Time Division Duplex（時分割二重通信）
【０００３】
現在のＨＳＲ車両（例：ＨＳＴ）の急速な発達により、ＨＳＲ内及び周辺での無線通信を効率的に実行する方法の研究が盛んになっている。ＨＳＲ車両を含む通信の概要を示すために、図１と図２に、考えられる代表的な通信の構成を図示した。以下で説明する。
【０００４】
図１に示したように、多数のＨＵＥ（例えば、ハンドセットやモバイルコンピュータ）とＭＲ（ノード）が内部に存在する高速列車が、線路上を走っている。当該線路は、各部分が、１以上のＢＳ（即ちＭｅＮＢ）にカバーされている。図では２つのＢＳにカバーされている。ＨＳＴがＭｅＮＢのカバー領域内に入ったとき、ＤＬ通信では、矢印で示したように、ＨＵＥがＭＲから送られる信号を受信する可能性がある一方、ＭＵＥはＭｅＮＢから送られる信号を受信する可能性がある。しかし、ＤＬ方向にＭｅＮＢから送られた信号が、ＨＵＥとＭＲが存在するＨＳＴの車両内に入ると、ＨＵＥに混信が起こるかもしれない。換言すれば、ＨＳＴの近くのＭｅＮＢが、ＤＬ通信でＨＵＥに混信する可能性がある。同様に、ＭＲが、ＤＬ通信で、ＨＳＴ近辺の列車外のＭＵＥに混信する可能性もある。
【０００５】
図２には、図１と逆方向の通信、つまり、ＵＬ方向であることを除けば、図１と全く同じ構成要素が示されている。ＵＬ通信では、ＨＵＥからＭＲへ送信された信号がＭｅＮＢと混信する可能性がある一方、ＭＵＥからＭｅＮＢに送信された信号がＭＲと混信する可能性もある。
【０００６】
図示され、図１と図２に関して述べられた混信は、ＨＳＲでの通信に悪影響を与え、更に、システム全体のパフォーマンスを下げる。例えば、もしＨＳＴがＴＤ―ＬＴＥシステムと同じ周波数を使っていたら、ＴＤ―ＬＴＥ ＭｅＮＢが大規模に設置されている場合、混信が複雑に又は激しくなりうる。
【０００７】
上記観点から、既存の通信設備に大幅な変更を加えることなく、上記混信を緩和又は更に除去することが望ましい。
【発明の概要】
【発明が解決しようとする課題】
【０００８】
それゆえ、より良いスペクトル効率で上記混信が抑制されるように、ＭｅＮＢとＭＲで管理され利用されるＲＢを効果的に割り当てる方法を提供することが前記技術分野では必要とされている。
【課題を解決するための手段】
【０００９】
本発明の代表的な実施形態では、ＢＳから少なくとも１つの特定のＲＢが測定された測定場所に関する情報を受信することを含むリソースブロックの割り当て方法を提供する。当該方法は、ＭＲノードの現在地と前記測定場所とに基づいて、前記ＭＲノードと、当該ＭＲノードに接続した少なくとも１つのＵＥとの通信に前記少なくとも１つの特定のＲＢを使用することも含み、前記測定場所において前記ＢＳに接続した少なくとも１つのＵＥと前記ＢＳとの通信には前記少なくとも１つの特定のＲＢは使用されず、前記少なくとも１つの特定のＲＢの測定値は、所定の閾値より小さい。
【００１０】
１つの実施形態では、前記使用することは、前記ＭＲノードの現在地と前記測定場所との距離が所定値以内である場合に、前記少なくとも１つの特定のＲＢを使用することを含む。
【００１１】
他の実施形態では、前記ＭＲノードと、当該ＭＲノードに接続した前記少なくとも１つのＵＥとは、ＨＳＲ車両内に存在し、前記測定場所は、前記ＢＳにカバーされ前記ＨＳＲ車両が走る線路に近い。
【００１２】
追加の実施形態では、前記方法は、前記受信に先立って、前記ＭＲノードに接続した前記少なくとも１つのＵＥへのＱｏＳに基づいて前記ＭＲノードが決定した前記ＲＢの必要数のリクエストを前記ＢＳに送信することを含む。
【００１３】
更なる実施形態では、前記少なくとも１つの特定のＲＢは、ＵＬ通信のために前記ＢＳ以外の前記ＭＲノードによって使用され、又は、ＤＬ通信のために前記ＢＳ以外の前記ＭＲノードによって使用される。
【００１４】
本発明の他の代表的な実施形態では、ＢＳで、少なくとも１つの特定のＲＢが測定された測定場所に関する情報を取得することを含む通信方法を提供する。当該方法は、ＭＲノードと、当該ＭＲノードに接続した少なくとも１つのＵＥとの通信のため、前記ＭＲノードに情報を送信することも含み、前記測定場所において前記ＢＳに接続した少なくとも１つのＵＥと前記ＢＳとの通信には前記少なくとも１つの特定のＲＢは使用されず、前記少なくとも１つの特定のＲＢの測定値は、所定の閾値より小さい。
【００１５】
他の実施形態では、前記情報を取得することは、前記ＢＳに接続した前記少なくとも１つのＵＥか、又は、前記ＢＳにカバーされＨＳＲ車両が走る線路近くに配置された少なくとも１つのセンサから情報を受信することを含み、前記ＭＲノードと、当該ＭＲノードに接続した前記少なくとも１つのＵＥとは、前記ＨＳＲ車両内に存在する。
【００１６】
追加の実施形態では、前記情報を取得することは、照合信号と、前記ＢＳにカバーされ前記ＨＳＲ車両が走る線路に近く、前記ＢＳに接続した前記少なくとも１つのＵＥの位置情報とを前記ＢＳで受信することと、受信した照合信号に基づいて、ＵＬシステム帯域幅全体にわたってチャンネル測定を実行することと、前記チャンネル測定に基づいて、所定の閾値より小さい前記少なくとも１つの特定のＲＢを決定することと、そして、前記ＭＲノードと、当該ＭＲノードに接続した前記少なくとも１つのＵＥとのアップリンク通信のために、前記ＭＲノードに前記情報を送信することとを含む。
【００１７】
更なる実施形態では、前記ＲＢの数は予め決められているか、或いは、前記ＭＲノードからのリクエストに従って決定される。
【００１８】
更に他の実施形態では、前記方法は、前記ＭＲノードにリクエストされた数より前記ＲＢの数が少ない場合は、前記ＭＲノードに、前記ＢＳと直交する１以上のＲＢを割り当てることを更に含む。
【００１９】
更なる実施形態では、前記少なくとも１つの特定のＲＢは、ＵＬ通信のために前記ＢＳ以外の前記ＭＲノードによって使用され、又は、ＤＬ通信のために前記ＢＳ以外の前記ＭＲノードによって使用される。
【００２０】
本発明の追加の代表的な実施形態では、ＢＳから少なくとも１つの特定のＲＢが測定された測定場所に関する情報を受信する手段を含むリソースブロックの割り当て装置を提供する。当該装置は、ＭＲノードの現在地と前記測定場所とに基づいて、前記ＭＲノードと、当該ＭＲノードに接続した少なくとも１つのＵＥとの通信に前記少なくとも１つの特定のＲＢを使用する手段も含み、前記測定場所において前記ＢＳに接続した少なくとも１つのＵＥと前記ＢＳとの通信には前記少なくとも１つの特定のＲＢは使用されず、前記少なくとも１つのＲＢの測定値は、所定の閾値より小さい。
【００２１】
本発明の更なる代表的な実施形態では、ＢＳで、少なくとも１つの特定のＲＢが測定された測定場所に関する情報を取得する手段を含むリソースブロックの割り当て装置を提供する。当該装置は、ＭＲノードと、当該ＭＲノードに接続した少なくとも１つのＵＥとの通信のため、前記ＭＲノードに情報を送信する手段も含み、前記測定場所において前記ＢＳに接続した少なくとも１つのＵＥと前記ＢＳとの通信には前記少なくとも１つの特定のＲＢは使用されず、前記少なくとも１つの特定のＲＢの測定値は、所定の閾値より小さい。
【００２２】
本発明の１つの代表的な実施形態では、少なくとも１つのプロセッサと、コンピュータプログラムのコードを記憶した少なくとも１つのメモリとを含むリソースブロックの割り当て装置を提供する。前記メモリと前記コンピュータプログラムのコードは、前記装置が、少なくとも、ＢＳから少なくとも１つの特定のＲＢが測定された測定場所に関する情報を受信するように構築されている。また、前記メモリと前記コンピュータプログラムのコードは、前記装置が、少なくとも、ＭＲノードの現在地と前記測定場所とに基づいて、前記ＭＲノードと、当該ＭＲノードに接続した少なくとも１つのＵＥとの通信に前記少なくとも１つの特定のＲＢを使用するようにも構築されており、前記測定場所において前記ＢＳに接続した少なくとも１つのＵＥと前記ＢＳとの通信には前記少なくとも１つの特定のＲＢは使用されず、前記少なくとも１つの特定のＲＢの測定値は、所定の閾値より小さい。
【００２３】
本発明の他の代表的な実施形態では、少なくとも１つのプロセッサと、コンピュータプログラムのコードを記憶した少なくとも１つのメモリとを含む通信装置を提供する。前記メモリと前記コンピュータプログラムのコードは、前記装置が、少なくとも、ＢＳで、少なくとも１つの特定のＲＢが測定された測定場所に関する情報を取得するように構築されている。また、前記メモリと前記コンピュータプログラムのコードは、前記装置が、少なくとも、ＭＲノードと、当該ＭＲノードに接続した少なくとも１つのＵＥとの通信のため、前記ＭＲノードに情報を送信するように構築されており、前記測定場所において前記ＢＳに接続した少なくとも１つのＵＥと前記ＢＳとの通信には前記少なくとも１つの特定のＲＢは使用されず、前記少なくとも１つの特定のＲＢの測定値は、所定の閾値より小さい。
【発明の効果】
【００２４】
本発明のある実施形態によれば、ＲＢを適切に割り当てることにより、混信は効果的に避けられ、システムパフォーマンスは改良されうる。更に、ＬＴＥ技術のような従来技術により、全部のシステム帯域幅についてチャンネル状態の検出結果が与えられるので、現在のシステムに、他の利用できない又は追加の機能を要求することを課する必要がない。
【００２５】
そのうえ、ＭＲから遠くにあるＭＵＥは、ＭＲとＨＵＥと共にＢＲＢを再利用できるので、本発明の実施形態により提案された割り当ては、絶対的な直交のリソース割り当てではなく、それにより、スペクトル資源の利用の柔軟性と効率性が改善される。
【００２６】
また、本発明の実施形態の他の特徴及び利点は、以下に示す特定の実施形態の説明を、本発明に係る実施形態を例示する添付図面を参照しつつ読めば明らかになる。
【００２７】
本発明の実施形態は例示的な位置づけであり、これらの利点については、以下の図面と共に以下の実施形態で詳細に説明する。
【図面の簡単な説明】
【００２８】
【図１】本発明の実施形態が実行される通信構成でのＤＬ通信を図示する。
【図２】本発明の実施形態が実行される通信構成でのＵＬ通信を図示する。
【図３】本発明の実施形態に関して、ＭＲノード側からのＲＢの割り当て方法を模式的に図示したフローチャートである。
【図４】本発明の他の実施形態に関して、ＢＳ（又はＭｅＮＢ）側からのＲＢの割り当て方法を模式的に図示したフローチャートである。
【図５】本発明の実施形態に関して、ＤＬ通信のためのＲＢの割り当て手順を模式的に図示したフローチャートである。
【図６】本発明の他の実施形態に関して、ＵＬ通信のためのＲＢの割り当て手順を模式的に図示したフローチャートである。
【図７】本発明の代表的な実施形態を実行する際の使用に適したＢＳとＵＥの模式的なブロック図である。
【発明を実施するための形態】
【００２９】
以下では、本発明の様々な実施形態の構成や使用が述べられるが、本発明は、広く様々な具体的状況に応じて具現化されうる多くの適切な発明思想を提供するものと認識されるべきである。ここで述べられる特定の実施形態は、単に発明の構成や使用の特定の方法を示すもので、発明の範囲を制限するものではない。
【００３０】
発明の理解を容易にするために、いくつかの用語は以下のように定義する。ここで定義される用語は、本発明に関する技術分野の通常のスキルを有する者に通常理解されるような意味を有する。「ａ」や「an」や「the」のような言葉は、実在する単体のみ指すことを意図しているのではなく、特定の例が実例として使用される一般的な種類も含むことを意図している。ここでは用語は発明の特定の実施形態を述べるために使用されるが、それらの使用は発明を制限するものではない。例えば、本発明のＢＳは、ＮＢやｅＮＢや、トランシーバ基地局や、ラジオ基地局等の１つを指すものとしても良く、このように、それらは明細書や特許請求の範囲を通して適宜入れ替えて使用されるものとしても良い。
【００３１】
本発明の実施形態は、ＨＳＴ内でＭｅＮＢとＨＵＥとの間のデータの中継にＭＲが使用されるＨＳＲ環境でのＤＬとＵＬの混信を避ける効果的な手法を提案する。どのＲＢがＢＲＢであるか決定するのにＨＳＲに近いＭＵＥの助けを借りることにより、ＭｅＮＢは、通信に、これらのＢＲＢを使用しないようにスケジューリングし、これらのＢＲＢはＭＲで使用されるように残しておく。ＭｅＮＢとＭＵＥがＭＲとＨＵＥとは異なるＲＢを利用するので、ＭｅＮＢとＨＵＥ間、そして、ＭＲとＭＵＥ間で起きる可能性のある混信を避けることができる。
【００３２】
本発明の実施形態は、以下で図と共に詳細に説明する。
【００３３】
図１と図２は、本発明の実施形態が実行される通信構成でのＤＬ通信とＵＬ通信を図示する。図１と図２に関しては、共に先述したので、ここでは簡単のために、それらの更なる記述は省略する。
【００３４】
図３は、本発明の実施形態に関して、ＭＲノード側からのＲＢの割り当て方法３００を模式的に図示したフローチャートである。図３に示されるように、方法３００は、ステップＳ３０１を開始し、ステップＳ３０２に進み、ＢＳから少なくとも１つの特定のＲＢが測定された測定場所に関する情報を受信する。前記特定のＲＢは、ＬＴＥやＬＴＥ−ＡｄｖａｎｃｅｄシステムでＲＢ１，ＲＢ２，・・・等のように番号が付けられた物理的なＲＢとして具現化されるものとしても良い。ＢＳから情報を受け取ると、方法３００はステップＳ３０３に進み、ＭＲノードの現在地と前記測定場所に基づいて、前記ＭＲノードと、当該ＭＲノードに接続した少なくとも１つのＵＥとの通信に、前記少なくとも１つの特定のＲＢを使用する。最終的に、方法３００はステップＳ３０４で終わる。図示されていないが、前記少なくとも１つの特定のＲＢは、前記ＢＳと、前記測定場所で前記ＢＳに接続した少なくとも１つのＵＥとの通信には使用されず、前記少なくとも１つの特定のＲＢの測定値は、所定の閾値より小さい。
【００３５】
上記測定は、前記ＨＳＴに近い、好ましくはアイドル状態のＭＵＥにより、上記ＢＳ（即ちＭｅＮＢ）からの指示に基づいて実行されうる。前記ＨＳＲは、固定されているので、その位置情報（例えば、線路の各セクションの座標）は、予め前記ＭｅＮＢに提供されうる。その時、前記ＭｅＮＢは、ＢＣＨ信号方式によって、全てのＭＵＥに前記位置情報を知らせるものとしても良い。当該位置情報によって、前記ＭＵＥは、ＭＵＥ自身の現在地を鑑みて、ＭＵＥ自身が前記ＨＳＲに近いか否か決定するものとしても良い。今やＧＰＳ可能なＵＥが非常に一般的であるという事実を鑑みると、前記ＵＥが自身の現在地を測定し、自身が前記ＨＳＲにじゅうぶん近いか否かに関して判断することは容易である。例えば、もしＭＵＥが、非常に近い将来ＭＲノードが通る線路から所定である２０メートル範囲内に自身がいるとわかった場合は、当該ＭＵＥが、その位置で、前記全部のシステム帯域幅のチャンネル状態を測定する。前記チャンネル状態は、例えば、あるＲＢで受信した信号の実測出力により特徴づけられるものとしても良い。もし、ＲＢの実測出力が所定の閾値より小さい場合は、当該ＲＢはＭＵＥによりＢＲＢとみなされ、ＢＲＢが測定された場所にＭＲノードが到着するとき、当該ＲＢはＭＲノードによってのみ使用されるべきとなる。
【００３６】
いくつかの実施形態では、ステップＳ３０３に図示された使用には、前記ＭＲノードの現在地と前記測定位置との距離が所定値以内であれば、前記少なくとも１つの特定のＲＢを使用することを含む。前記ＨＳＴ内の前記ＭＲは線路上を移動しており、その位置は変わり続けているので、前記ＭＲは自身が前記ＢＲＢの位置にほぼ到着しているか近いかを絶えず判定すべきである。一旦、前記ＭＲと前記ＢＲＢのいくつかとの距離が所定範囲内になると、前記ＭＲはこれらのＢＲＢを前記ＨＵＥとの通信に用いる。
【００３７】
いくつかの実施形態では、ステップＳ３０２に図示された受信に先立って、方法３００は、前記少なくとも１つのＨＵＥのＱｏＳに基づいて前記ＭＲノードによって決定される前記ＢＲＢの必要数のリクエストを前記ＢＳに送信する。この手順では、前記ＭｅＮＢは、前記ＢＲＢの必要数に関する情報を前記ＭＲノードに伝達するのみであっても良いし、例えば、他のＢＲＢに比べ前記ＭＲノードから距離があるなど、前記ＭＲによる使用に適さないＢＲＢを放棄するものとしても良い。
【００３８】
図４は、本発明の他の実施形態に関して、ＢＳ（又はＭｅＮＢ）側からのＲＢの割り当て方法４００を模式的に図示したフローチャートである。図４に示されるように、方法４００はステップＳ４０１から始まり、ステップＳ４０２に進む。ステップＳ４０２では、方法４００は、少なくとも１つの特定のＲＢが測定された測定場所に関する情報をＢＳで取得する。前記測定場所に関する情報の取得に続いて、方法４００はステップＳ４０３に進む。ステップＳ４０３では、方法４００は、ＭＲノードと、当該ＭＲノードに接続した少なくとも１つのＵＥ（即ちＨＵＥ）との通信のために前記ＭＲノードに情報を送る。最後に、方法４００はステップＳ４０４で終わる。先述したように、前記少なくとも１つの特定のＲＢは、前記測定場所において、前記ＢＳに接続した少なくとも１つのＵＥ（即ちＭＵＥ）と前記ＢＳ（即ち前記ＭｅＮＢ）との通信に使用されず、前記少なくとも１つの特定のＲＢの測定値は所定の閾値より小さい（即ち前記ＢＲＢ）。
【００３９】
図４では示されていないが、ステップＳ４０２に示された取得は、前記ＢＳに接続した前記少なくとも１つのＵＥ、又は前記ＢＳにカバーされＨＳＲ車両が走る線路近くに配置された少なくとも１つのセンサから情報を受信することを含むものとしても良い。前記ＭＲノードと、当該ＭＲノードに接続した少なくとも１つのＵＥとは、当該ＨＳＲ車両（例えばＨＳＴ）内に存在する。いくつかの実施形態では、前記ＭｅＮＢからの指示に基づいて、前記ＭＵＥ、とりわけアイドル状態で前記ＨＳＲから所定範囲内に存在するＭＵＥは、全部のシステム帯域幅でチャンネル状態を測定し、測定値が所定値より小さいＢＲＢを探索する。この手順では、前記ＨＳＲから離れたアイドル状態のＭＵＥは、測定を実行せず、それゆえその電力を消耗しないようにすることが可能である。
【００４０】
一般的に言って、これらの実施形態は、ＴＤＤ―ＬＴＥシステムを含むシステムに有利に適用されうる。なぜなら、これらのシステムのＭＵＥはＵＬとＤＬの両方向で測定とＢＲＢの検出が可能だからである。しかし、ＦＤＤ―ＬＴＥシステムでは少し事情が異なる。なぜなら、ＦＤＤ−ＬＴＥシステムのＭＵＥは、ＵＬ方向で測定とＢＲＢの検出が不可能だからである。この観点では、いくつかの実施形態で、ステップＳ４０２で示された取得することにおいて、方法４００は、前記ＢＳで、照合信号と、前記ＢＳにカバーされＨＳＲ車両が走行する線路に近い位置にある前記ＢＳに接続した少なくとも１つのＵＥの位置情報とを受信する。前記照合信号と前記位置情報とを受信して、方法４００は、受信した照合信号に基づいて、ＵＬシステム帯域幅全体にわたってチャンネル測定を実行し、前記チャンネル測定に基づいて、所定の閾値より小さい少なくとも１つの特定のＲＢ（即ちＢＲＢ）を決定し、それから、ＭＲノードと、当該ＭＲノードに接続した少なくとも１つのＵＥとの間のＵＬ通信のために、前記ＭＲノードに当該情報を送信する。
【００４１】
いくつかの実施形態では、ＲＢの数が、予め決められているか又は前記ＭＲノードからの要求に従って決定される。更にいくつかの実施形態では、方法４００は、前記ＭＲノードによって要求されたよりＲＢが少なければ、前記ＢＳに直交する１以上のＲＢを前記ＭＲノードに割り当てる。換言すれば、ＢＲＢが前記ＭＲノードによる使用に十分でないとき、ＭｅＮＢは混信が起きないよう保証するために、更に、追加のＲＢを前記ＭＲノードに割り当てる。
【００４２】
いくつかの実施形態では、少なくとも１つの特定のＲＢが、ＵＬ通信のために前記ＢＳ以外の前記ＭＲノードによって使用されるか、又は、ＤＬ通信のために前記ＢＳ以外の前記ＭＲノードによって使用される。前記ＭｅＮＢと前記ＭＲノードとが、ＵＬ又はＤＬ通信で、分離した或いは異なるＲＢを使用するので、これらのＲＢ間で起きうる混信を効率よく避け、除去できる。
【００４３】
上述では、図３と図４を参照して、ＭｅＮＢとＭＲノード側から、本発明の代表的な実施形態を示した。本発明をより理解するために、図５を参照する。図５は、本発明の実施形態に関して、ＤＬ通信のためのＲＢの割り当て手順５００を模式的に図示するフローチャートを示す。
【００４４】
図５で示したように、手順５００はステップＳ５０１で始まる。ステップＳ５０１では、ＭｅＮＢがそのカバー範囲内のＨＳＲの位置又は場所情報を、接続した１以上のＭＵＥに送信する。なお、簡単のために、図では１のＭＵＥのみ示した。例えば、前記ＭｅＮＢは、信号と前記ＨＳＲの位置情報とを、ＢＣＨにより全てのＭＵＥに送信し、前記ＨＳＲに近い（アイドル状態の）ＭＵＥに１以上のＲＢについて測定を実行するように指示する。先に述べたように、例えば組み込まれたＧＰＳデバイスにより自身の現在地を測定することは容易なので、前記ＭＵＥは、自身が前記ＨＳＲに近いかどうか確定できる。一旦、前記ＭＵＥが自身が前記ＨＳＲに近いと確定すると、全部のシステム帯域幅内で全てのＲＢに関してステップＳ５０２の測定手順が開始され、所定の閾値より小さいＢＲＢがあぶり出される。付加的に又は代替的に、もし、どのＭＵＥもＲＢを測定できる状態でなければ、１以上のセンサが前記ＨＳＲの線路に沿って設置されており、当該センサが測定を実行するものとしても良い。
【００４５】
ステップＳ５０２の測定とＢＲＢの確定に続いて、前記ＭＵＥは、ステップＳ５０３で測定レポートを前記ＭｅＮＢに送信する。測定レポートは、以下の表に示される形式であっても良い。
【表１】
0005823059.tif 000002
【００４６】
上の表からは、ＭＵＥ１が前記ＨＳＲに近く、３つのＢＲＢＳ（即ちＲＢ１とＲＢ２とＲＢ３）が座標（Ｘ１，Ｙ１）の位置であぶり出されたとわかり、これら３つのＲＢで受信した信号は、とても低いパワーで、大きな減衰を被ったことを暗示する。同様に、ＭＵＥ３に関しては、２つのＢＲＢ（即ちＲＢ５とＲＢ６）が座標（Ｘ３，Ｙ３）の位置であぶり出されている。
【００４７】
いくつのＢＲＢが必要であるか決定するために、いくつかの実施形態では、前記ＭＲが前記ＨＵＥのＱｏＳに従ってＢＲＢの必要数を見積もり、前記ＭｅＮＢに、この必要数を通知するものとしても良い。それから、前記ＭｅＮＢが、前記ＭＵＥに、ＢＲＢの明確な数を通知するよう指示するものとしても良い。更に他の実施形態では、信号のオーバーヘッドを制御するために、各ＭＵＥは、限定数のＢＲＢだけ前記ＭｅＮＢに通知する。もし前記ＭＲが更にＢＲＢを必要とするなら、当該ＭＲは、前記ＭｅＮＢに、当該ＭｅＮＢに使用されるＲＢと直交する特定のＲＢを割り当てるよう要求することができる。いつ前記ＨＳＲが到着するかに関する情報が入手できるので、これらの直交するＲＢは、限定期間だけ使用され、よってスペクトル効率を低くすることはない。
【００４８】
いくつかの実施形態では、前記ＭｅＮＢは、前記測定レポートを受信して、前記ＭＵＥのシャドウイングフェージングによる誤り検出を回避するために、前記特定したＢＲＢにデータ融合技術を適用する。前記データ融合技術は、例えば、ＡＮＤルール，ＯＲルール及び多数決原理を含む。例としてＡＮＤルールを取り上げると、ＲＢは、前記ＨＳＲに近くに存在する全てのＭＵＥsが、当該ＲＢを前記ＭｅＮＢに報告した場合にだけ、ＢＲＢと見なされる。
【００４９】
全ての条件が同じならば、前記ＭＵＥは、ステップＳ５０４で、前記ＢＲＢに関する情報を前記ＭＲノードに送る。当該情報を受信すると、前記ＭＲノードは、どのＢＲＢ同士が関連付けられるかをステップS５０５で決定する。前記関連付けられるＢＲＢは、前記ＭＲノードまで同じかそれに近い距離を有するＢＲＢである。例えば、上述したＲＢ１−３は、前記ＭＲノードまで同じ距離を有するので関連付けられたＲＢと考えられる。関連付けられたＢＲＢの決定に続き、ステップＳ５０７で、前記ＭＲノードは、ＤＬ方向に当該ＢＲＢで前記ＨＵＥにデータを送るように前記ＲＲＭを実行する。同様に、ステップＳ５０６で、前記ＭｅＮＢは、ＤＬ方向に、前記ＢＲＢを除くＲＢで前記ＭＵＥにデータを送信する。
【００５０】
図６は、本発明の他の実施形態に関して、ＵＬ通信のためのＲＢの割り当て手順６００を模式的に図示するフローチャートである。ステップＳ６０１−Ｓ６０５は、手順５００で図示されたステップＳ５０１−Ｓ５０５と同一であるので、簡単のために、ここではこれらのステップに関する直接的な説明は省略する。ＤＬ通信と異なり、前記ＭｅＮＢは、ステップＳ６０６で、前記ＭＵＥにＵＬ認可情報を送り、その後、前記ＭＵＥはステップＳ６０７でＵＬ認可情報に基づいてＢＲＢを除くＲＢでデータを送信するものとしても良い。同様に、前記ＭＲノードもまたステップＳ６０８で前記ＨＵＥにＵＬ認可情報を送信しても良いし、その後、前記ＨＵＥがステップＳ６０９でＵＬ認可情報に基づいてＢＲＢでデータを送信するものとしても良い。
【００５１】
手順５００と手順６００に関する上述の記載は、代表的なもののみであって、本発明の範囲をこれにより限定するものではない、と特に言及しておかなければならない。更に、手順５００と手順６００は、更に補助的な細部を含んだり、他の変形を有するものとしても良い。例えば、先述したように、ＦＤＤ  ＬＴＥシステムでは、図５で示したように前記ＭＵＥから前記測定レポートを受信する代わりに、前記ＭｅＮＢが測定し、自身で、どのＲＢがＢＲＢであるか決定するものとしても良い。更に、図５と図６で示されたステップと実行順序は、単なる例であって本発明を制限するものではないと、ここで特に言及しておかなければならない。当業者は、本明細書を読んだ後、異なるアプリケーション要求に適合するように、例えば、省略、結合、又はあるステップの追加、あるステップの実行順序の変更をすることにより、これらのステップを変更することが可能である。例えば、ステップＳ５０６とステップＳ５０７とは、順番に行なうように示されているが、これらのステップは同時に実行されうる。
【００５２】
図７は、本発明の代表的な実施形態を実行する際の使用に適したＢＳ７０１とＵＥ７０２の単純化したブロック図を示す。図７では、無線ネットワークはＢＳ（ＭｅＮＢ又はＭＲノード）７０１経由でのＵＥ７０２との通信に適切である。ＵＥ７０２は、ＭＵＥ又はＨＵＥに具現化されても良い。前記ＵＥ７０２は、データプロセッサ（ＤＰ）７０３と、前記ＤＰ７０３に接続されたメモリ（ＭＥＭ）７０４と、前記ＤＰ７０３に接続された適切なＲＦ送信機ＴＸと受信機ＲＸ７０５とを含む。前記ＭＥＭ７０４は、プログラム（ＰＲＯＧ）７０６を記憶する。前記ＴＸ／ＲＸ７０５はＢＳ７０１との双方向無線通信のためにある。前記ＴＸ／ＲＸ７０５は、通信を容易にするために、少なくとも１つのアンテナを有し、前記ＵＥ７０２が複数のＴＸ及び／又はＲＸを有する場合には、マルチインプット・マルチアウトプットＭＩＭＯ通信のためにマルチアンテナを採用するものとしても良いと言及しておく。
【００５３】
前記ＢＳ７０１は、データプロセッサ（ＤＰ）７０７と、前記ＤＰ７０７に接続されたメモリ（ＭＥＭ）７０８と、前記ＤＰ７０７に接続された適切なＲＦ送信機ＴＸと受信機ＲＸ７０９とを含む。前記ＭＥＭ７０８は、プログラム（ＰＲＯＧ）７１０を記憶する。前記ＴＸ／ＲＸ７０９は前記ＵＥ７０２との双方向無線通信のためにある。前記ＴＸ／ＲＸ７０９は、通信を容易にするために、少なくとも１つのアンテナを有すると言及しておくが、実際問題として、ＢＳは一般的にいくつかのアンテナを有するであろう。前記ＢＳ７０１は、例えばインターネットのような、１以上の外部ネットワークやシステムにデータパスを経由で接続されているものとしても良い。
【００５４】
前記ＰＲＯＧ７０６と前記ＰＲＯＧ７１０の少なくとも１つは、接続されたＤＰ７０３、７０７により実行されるとき、図１と図２に示される無線通信環境下において前記方法３００、４００や前記手段５００、６００としてここで述べられたように、本発明の代表的な実施形態のとおりに、前記ＵＥ７０２と前記ＢＳ７０１とが動作することを可能とするプログラム指示を含むことを前提とする。
【００５５】
前記ＭＥＭ７０４、７０８は、ローカル技術環境に適した如何なるタイプのものであっても良く、例としてはこれらに限ったものではないが、半導体ベースのメモリデバイス、磁気記憶装置及びシステム、光学メモリデバイス及びシステム、固定記憶装置や取り外し可能な記憶装置のような、どのような適したデータ記憶技術を用いて実現するものとしても良い。前記ＢＳ７０１やＵＥ７０２の内部にはＭＥＭが１つだけ存在するように見えるが、前記ＢＳ７０１やＵＥ７０２の内部には、物理的に分離したいくつかのメモリユニットが存在するものとしても良い。
【００５６】
前記ＤＰ７０３、７０７は、ローカル技術環境に適した如何なるタイプのものであっても良く、例としてはこれらに限ったものではないが、汎用計算機、専用計算機、マイクロプロセッサ、ＤＳＰと、マルチコアプロセッサ技術に基づいたプロセッサのうち１以上を含むものであっても良い。前記ＵＥ７０２と前記ＢＳ７０１のどちらか一方又は両方は、例えば、メインプロセッサと同期をとるクロックの時刻に従う特定用途向け集積回路チップのようなマルチプロセッサを有するものとしても良い。
【００５７】
一般に、前記ＵＥ７０２の様々な実施形態は、これらに限定されないが、携帯電話、無線通信機能を有するＰＤＡ、無線通信機能を有するポータブルコンピュータ、無線通信機能を有するデジタルカメラのような画像取込装置、無線通信機能を有するゲーミングデバイスと、そのような機能の組み合わせを取り入れたポータブル装置又は端末を含みうる。
【００５８】
本発明の実施形態は、前記ＵＥ７０２と前記ＢＳ７０１の１以上のＤＰ７０３、７０７により実行可能なコンピュータソフトウェアによって、又は、ハードウェア、又は、ソフトウェアとハードウェアの組み合わせによって実現されるものとしても良い。
【００５９】
本発明の代表的な実施形態は、方法や装置（即ちシステム）のブロック図やフローチャート図を参照して上述してきた。ブロック図やフローチャート図の各ブロック、及びブロック図やフローチャート図の中のブロックの結合は、コンピュータプログラム指示を含む様々な手段により実現されうることは理解されるであろう。これらのコンピュータプログラム指示は、汎用計算機、専用計算機、機械を製造するための他のプログラム可能なデータ処理装置にロードされても良い。これによりコンピュータや他のプログラム可能なデータ処理装置上で実行されるコンピュータプログラム指示は、フローチャートのブロック又はブロック群に明記された機能を実現する手段を生成する。
【００６０】
先述のコンピュータプログラム指示は、例えば、サブルーチン  ａｎｄ／ｏｒ  関数でも良い。発明の１つの実施形態におけるコンピュータプログラム製品は、少なくとも１つのコンピュータ読み取り可能な記録媒体を含み、当該記録媒体には先述のコンピュータプログラム指示が記憶される。コンピュータ読み取り可能な記録媒体は、例えば、光コンパクトディスク、又はＲＡＭ（ｒａｎｄｏｍ  ａｃｃｅｓｓ  ｍｅｍｏｒｙ）又はＲＯＭ（ｒｅａｄ  ｏｎｌｙ  ｍｅｍｏｒｙ）のような電子記憶装置であっても良い。
【００６１】
本発明のこれらの実施形態が属する技術分野の当業者であって、上述の説明及びこれに関連する図面の示唆する利益を得る当業者には、ここで発表された発明の多くの変形例や他の実施形態が思い浮かぶだろう。それゆえ、本発明の実施形態は、開示された特定の実施形態に限定されず、かつ、変形例や他の実施形態が添付の請求項の範囲内に含まれると意図されていると理解されるべきである。ここでは特定の用語が使用されているが、それらは一般的かつ記述的な意味でのみ使用されるものであり限定する目的で使用されるものではない。
【００６２】
（付記１）
基地局から少なくとも１つの特定のリソースブロックが測定された測定場所に関する情報を受信することと、
移動中継ノードの現在地と前記測定場所とに基づいて、前記移動中継ノードと、当該移動中継ノードに接続した少なくとも１つの利用者機器との通信に前記少なくとも１つの特定のリソースブロックを使用することと、
を含み、
前記測定場所において前記基地局に接続した少なくとも１つの利用者機器と前記基地局との通信には前記少なくとも１つの特定のリソースブロックは使用されず、前記少なくとも１つの特定のリソースブロックの測定値は、所定の閾値より小さい
リソースブロックの割り当て方法。
【００６３】
（付記２）
前記使用することは、前記移動中継ノードの現在地と前記測定場所との距離が所定値以内である場合に、前記少なくとも１つの特定のリソースブロックを使用することを含む
付記１に記載の方法。
【００６４】
（付記３）
前記移動中継ノードと、当該移動中継ノードに接続した前記少なくとも１つの利用者機器とは高速鉄道車両内に存在し、前記測定場所は、前記基地局にカバーされ前記高速鉄道車両が走る線路に近い
付記２に記載の方法。
【００６５】
（付記４）
前記受信に先立って、前記移動中継ノードに接続した前記少なくとも１つの利用者機器へのサービスの質に基づいて前記移動中継ノードが決定した前記リソースブロックの必要数のリクエストを前記基地局に送信することを
更に含む付記１に記載の方法。
【００６６】
（付記５）
前記少なくとも１つの特定のリソースブロックは、アップリンク通信のために前記基地局以外の前記移動中継ノードによって使用され、又は、ダウンリンク通信のために前記基地局以外の前記移動中継ノードによって使用される
付記１に記載の方法。
【００６７】
（付記６）
基地局で、少なくとも１つの特定のリソースブロックが測定された測定場所に関する情報を取得することと、
移動中継ノードと、当該移動中継ノードに接続した少なくとも１つの利用者機器との通信のため、前記移動中継ノードに情報を送信することと、
を含み、
前記測定場所において前記基地局に接続した少なくとも１つの利用者機器と前記基地局との通信には前記少なくとも１つの特定のリソースブロックは使用されず、前記少なくとも１つの特定のリソースブロックの測定値は、所定の閾値より小さい
リソースブロックの割り当て方法。
【００６８】
（付記７）
前記情報を取得することは、
前記基地局に接続した前記少なくとも１つの利用者機器か、又は、前記基地局にカバーされ高速鉄道車両が走る線路近くに配置された少なくとも１つのセンサから情報を受信すること
を含み、
前記移動中継ノードと、当該移動中継ノードに接続した前記少なくとも１つの利用者機器とは、前記高速鉄道車両内に存在する
付記６に記載の方法。
【００６９】
（付記８）
前記情報を取得することは、
照合信号と、前記基地局にカバーされ高速鉄道車両が走る線路に近く、前記基地局に接続した前記少なくとも１つの利用者機器の位置情報とを前記基地局で受信することと、
受信した照合信号に基づいて、アップリンクシステム帯域幅全体にわたってチャンネル測定を実行することと、
前記チャンネル測定に基づいて、所定の閾値より小さい前記少なくとも１つの特定のリソースブロックを決定することと、そして、
前記移動中継ノードと、当該移動中継ノードに接続した前記少なくとも１つの利用者機器とのアップリンク通信のために、前記移動中継ノードに前記情報を送信することと
を含む付記６に記載の方法。
【００７０】
（付記９）
前記リソースブロックの数は、予め決められているか、或いは、前記移動中継ノードからのリクエストに従って決定される
付記６に記載の方法。
【００７１】
（付記１０）
前記移動中継ノードにリクエストされた数より前記リソースブロックの数が少ない場合は、前記移動中継ノードに、前記基地局と直交する１以上のリソースブロックを割り当てること
を更に含む付記９に記載の方法。
【００７２】
（付記１１）
前記少なくとも１つの特定のリソースブロックは、アップリンク通信のために前記基地局以外の前記移動中継ノードによって使用され、又は、ダウンリンク通信のために前記基地局以外の前記移動中継ノードによって使用される
付記６に記載の方法。
【００７３】
（付記１２）
基地局から少なくとも１つの特定のリソースブロックが測定された測定場所に関する情報を受信する手段と、
移動中継ノードの現在地と前記測定場所とに基づいて、前記移動中継ノードと、当該移動中継ノードに接続した少なくとも１つの利用者機器との通信に前記少なくとも１つの特定のリソースブロックを使用する手段と、
を含み、
前記測定場所において前記基地局に接続した少なくとも１つの利用者機器と前記基地局との通信には前記少なくとも１つの特定のリソースブロックは使用されず、前記少なくとも１つの特定のリソースブロックの測定値は、所定の閾値より小さい
リソースブロックの割り当て装置。
【００７４】
（付記１３）
前記使用する手段は、前記移動中継ノードの現在地と前記測定場所との距離が所定値以内である場合に、前記少なくとも１つの特定のリソースブロックを使用する手段を含む
付記１２に記載の装置。
【００７５】
（付記１４）
前記移動中継ノードと、当該移動中継ノードに接続した前記少なくとも１つの利用者機器とは高速鉄道車両内に存在し、前記測定場所は、前記基地局にカバーされ前記高速鉄道車両が走る線路に近い
付記１２に記載の装置。
【００７６】
（付記１５）
前記受信に先立って、前記移動中継ノードに接続した前記少なくとも１つの利用者機器へのサービスの質に基づいて前記移動中継ノードが決定した前記リソースブロックの必要数のリクエストを前記基地局に送信する手段を
更に含む付記１２に記載の装置。
【００７７】
（付記１６）
前記少なくとも１つの特定のリソースブロックは、アップリンク通信のために前記基地局以外の前記移動中継ノードによって使用され、又は、ダウンリンク通信のために前記基地局以外の前記移動中継ノードによって使用される
付記１２に記載の装置。
【００７８】
（付記１７）
基地局で、少なくとも１つの特定のリソースブロックが測定された測定場所に関する情報を取得する手段と、
移動中継ノードと、当該移動中継ノードに接続した少なくとも１つの利用者機器との通信のため、前記移動中継ノードに情報を送信する手段と、
を含み、
前記測定場所において前記基地局に接続した少なくとも１つの利用者機器と前記基地局との通信には前記少なくとも１つの特定のリソースブロックは使用されず、前記少なくとも１つの特定のリソースブロックの測定値は、所定の閾値より小さい
リソースブロックの割り当て装置。
【００７９】
（付記１８）
前記情報を取得する手段は、
前記基地局に接続した前記少なくとも１つの利用者機器か、又は、前記基地局にカバーされ高速鉄道車両が走る線路近くに配置された少なくとも１つのセンサから情報を受信する手段
を含み、
前記移動中継ノードと、当該移動中継ノードに接続した前記少なくとも１つの利用者機器とは、前記高速鉄道車両内に存在する
付記１７に記載の装置。
【００８０】
（付記１９）
前記情報を取得する手段は、
照合信号と、前記基地局にカバーされ高速鉄道車両が走る線路に近く、前記基地局に接続した前記少なくとも１つの利用者機器の位置情報とを前記基地局で受信する手段と、
受信した照合信号に基づいて、アップリンクシステム帯域幅全体にわたってチャンネル測定を実行する手段と、
前記チャンネル測定に基づいて、所定の閾値より小さい前記少なくとも1つの特定のリソースブロックを決定する手段と、そして、
前記移動中継ノードと、当該移動中継ノードに接続した前記少なくとも１つの利用者機器とのアップリンク通信のために、前記移動中継ノードに前記情報を送信する手段と
を含む付記１７に記載の装置。
【００８１】
（付記２０）
前記リソースブロックの数は、予め決められているか、或いは、前記移動中継ノードからのリクエストに従って決定される
付記１７に記載の装置。
【００８２】
（付記２１）
前記移動中継ノードにリクエストされた数より前記リソースブロックの数が少ない場合は、前記移動中継ノードに、前記基地局と直交する1以上のリソースブロックを割り当てる手段
を更に含む付記２０に記載の装置。
【００８３】
（付記２２）
前記少なくとも１つの特定のリソースブロックは、アップリンク通信のために前記基地局以外の前記移動中継ノードによって使用され、又は、ダウンリンク通信のために前記基地局以外の前記移動中継ノードに使用される
付記１７に記載の装置。
【００８４】
（付記２３）
リソースブロックの割り当て装置であって、
少なくとも１つのプロセッサと、コンピュータプログラムのコードを記憶した少なくとも１つのメモリとを含み、
前記メモリと前記コンピュータプログラムのコードは、前記装置が、少なくとも、
基地局から少なくとも１つの特定のリソースブロックが測定された測定場所に関する情報を受信するように、そして、
移動中継ノードの現在地と前記測定場所とに基づいて、前記移動中継ノードと、当該移動中継ノードに接続した少なくとも１つの利用者機器との通信に前記少なくとも１つの特定のリソースブロックを使用するように
構築されており、
前記測定場所において前記基地局に接続した少なくとも１つの利用者機器と前記基地局との通信には前記少なくとも１つの特定のリソースブロックは使用されず、前記少なくとも１つの特定のリソースブロックの測定値は、所定の閾値より小さい
リソースブロックの割り当て装置。
【００８５】
（付記２４）
リソースブロックの割り当て装置であって、
少なくとも１つのプロセッサと、コンピュータプログラムのコードを記憶した少なくとも１つのメモリとを含み、
前記メモリと前記コンピュータプログラムのコードは、前記装置が、少なくとも、
基地局で、少なくとも１つの特定のリソースブロックが測定された測定場所に関する情報を取得するように、そして、
移動中継ノードと、当該移動中継ノードに接続した少なくとも１つの利用者機器との通信のため、前記移動中継ノードに情報を送信するように
構築されており、
前記測定場所において前記基地局に接続した少なくとも１つの利用者機器と前記基地局との通信には前記少なくとも１つの特定のリソースブロックは使用されず、前記少なくとも１つの特定のリソースブロックの測定値は、所定の閾値より小さい
リソースブロックの割り当て装置。
【図１】
0005823059.tif 000003
【図２】
0005823059.tif 000004
【図３】
0005823059.tif 000005
【図４】
0005823059.tif 000006
【図５】
0005823059.tif 000007
【図６】
0005823059.tif 000008
【図７】
0005823059.tif 000009